(57)【要約】  携帯型音響装置５００から出力された外部音響信号ＰＡＳに基づいて音声再生を行う音響装置１００において、携帯型音響装置５００に所定電圧の電力を供給する電力供給手段である電力供給部１７０と；携帯型音響装置に配設された固有操作入力手段を利用した固有操作入力が可能であるか否かを指定する操作可能性情報である機能設定情報ＦＲＰを携帯型音響装置５００に通知するとともに、通知内容を制御する制御手段である制御ユニット１１０と；外部音響信号ＰＡＳに基づいて音声を再生する音声再生手段であるスピーカ１３０L，１３０Rと；を備える構成を採用する。この結果、携帯型音響装置５００との連携を図りつつ、利用者の利便性を向上させることができる音響装置１００が実現される。
2008114387.tif 000002
【特許請求の範囲】
【請求項１】
携帯型音響装置から出力された外部音響信号に基づいて音声再生を行う音響装置であって、
前記携帯型音響装置に所定電圧の電力を供給する電力供給手段と；
前記携帯型音響装置に配設された固有操作入力手段を利用した固有操作入力が可能であるか否かを指定する操作可能性情報を、前記携帯型音響装置に通知する操作可能性通知手段と；
前記操作可能性通知手段から前記携帯型音響装置への通知内容を制御する制御手段と；
前記外部音響信号に基づいて音声を再生する音声再生手段と；
を備えることを特徴とする音響装置。
【請求項２】
前記携帯型音響装置は充電可能であり、
前記電力供給手段は、充電用電力として、前記所定電圧の電力を前記携帯型音響装置に供給する、ことを特徴とする請求項１に記載の音響装置。
【請求項３】
前記制御手段は、電力供給の有無を前記電力供給手段に対して指定する、ことを特徴とする請求項１又は２に記載の音響装置。
【請求項４】
前記制御手段は、前記操作可能性情報として前記固有操作入力ができない旨の通知を前記操作可能性通知手段に対して指定した場合に、前記携帯型音響装置へ操作指令を送る、ことを特徴とする請求項１〜３のいずれか一項に記載の音響装置。
【請求項５】
前記制御手段は、前記操作可能性情報の内容を前記操作可能性通知手段に対して指定する、ことを特徴とする請求項１〜４のいずれか一項に記載の音響装置。
【請求項６】
内部音響信号を発生する内部音響発生手段と；
前記内部音響信号及び前記外部音響信号のいずれかを選択して、前記音声再生手段へ向けて出力する信号選択手段と；を更に備え、
前記制御手段は、選択すべき信号の種類を前記信号選択手段に対して指定する、
ことを特徴とする請求項１〜５のいずれか一項に記載の音響装置。
【請求項７】
前記音声再生手段からの再生音声の音量を調整する音量調整手段を更に備え、
前記制御手段は、前記音声再生手段において再生される音声の音量を前記音量調整手段に対して指定する、
ことを特徴とする請求項１〜６のいずれか一項に記載の音響装置。
【請求項８】
操作入力が行われる操作入力手段を更に備え、
前記制御手段は、前記操作入力手段に入力された動作指令に従って制御を行う、
ことを特徴とする請求項１〜７のいずれか一項に記載の音響装置。
【請求項９】
移動体に搭載される、ことを特徴とする請求項１〜８のいずれか一項に記載の音響装置。
【発明の詳細な説明】
【技術分野】
【０００１】
本発明は、音響装置に関する。
【背景技術】
【０００２】
近年、通信ネットワークを介して配信された音楽データや音楽ＣＤ（Compact Disk）から読み取られた音楽データを内部の記憶媒体に記憶するとともに、当該記憶媒体に記憶されたデータに基づいて音声を再生する機能を有する携帯型音響装置が市販されている。こうした携帯型音響装置は、小型かつ軽量であり、どこでも手軽に音楽等を楽しむことができることから、広く普及している。【０００３】
携帯型音響装置としては、携帯して屋外で音楽を楽しむ場合に利用されるだけでなく、ホームオーディオ装置やカーオーディオ装置等の音響装置に接続して、充実したスピーカ等の整った良好な音声再生環境で音楽を楽しむ場合にも利用できる機種も多くのものが提供されている。また、携帯型音響装置が一般に充電可能であることから、携帯型音響装置が接続される音響装置として、接続された携帯型音響装置に対して充電用電力の供給機能を有する機種も登場している。【０００４】
こうした携帯型音響装置に対して充電用電力の供給機能を有する音響装置に関する技術として、充電中における携帯型音響装置内部の記憶媒体に記憶されたデータに基づく音声再生の操作性を向上させる技術が提案されている（特許文献１参照：以下、「従来例」と呼ぶ）。この従来例の技術では、携帯型音響装置の充電中においては、携帯型音響装置に配設された固有操作入力手段に対してではなく、充電電力供給機能を有する音響装置に配設された操作入力手段に対して操作入力を行うことにより、携帯型音響装置内部の記憶媒体に記憶されたデータに基づく音声再生を行い、再生音声を音響装置のスピーカから出力させるようになっている。【０００５】
【特許文献１】特許第３７１４８８２号公報
【発明の開示】
【発明が解決しようとする課題】
【０００６】
しかしながら、上述した従来例では、携帯型音響装置について機能拡張された新機種が登場した場合、音響装置側においては、当該新機種にも対応可能なバージョンアップを行うことが必要となる。かかるバージョンアップを行わない場合には、通常は音響装置による携帯型音響装置の動作制御ができなくなってしまうため、充電中における音響装置に配設された操作入力手段への操作入力を行って、携帯型音響装置内部の記憶媒体に記憶されたデータに基づく音声再生を行うことができなくなってしまう。【０００７】
また、利用者の事情によって、携帯型音響装置内部の記憶媒体に記憶されたデータに基づく音声再生の制御指令の入力に際して、携帯型音響装置における固有操作入力手段を利用することが好ましい場合がある。一方、携帯型音響装置が接続された音響装置における操作入力手段を利用することが好ましい場合もある。【０００８】
このため、音響装置のバージョンと携帯型音響装置の機種あるいはバージョンとの不整合があったとしても、充電中に携帯型音響装置内部の記憶媒体に記憶されたデータに基づく再生音声を音響装置のスピーカから出力できる音響装置の技術が待望されている。また、充電中に携帯型音響装置内部の記憶媒体に記憶されたデータに基づく再生音声のための操作入力を、利用者にとって好ましい操作入力手段から行うことができる技術が待望されている。こうした要望に応えることが、本発明が解決すべき課題の一つとして挙げられる。【０００９】
本発明は、上記の事情を鑑みてなされたものであり、携帯型音響装置との連携を図りつつ、利用者の利便性を向上することができる新たな音響装置を提供することを目的とする。
【課題を解決するための手段】
【００１０】
本発明の音響装置は、携帯型音響装置から出力された外部音響信号に基づいて音声再生を行う音響装置であって、前記携帯型音響装置に所定電圧の電力を供給する電力供給手段と；前記携帯型音響装置に配設された固有操作入力手段を利用した固有操作入力が可能であるか否かを指定する操作可能性情報を、前記携帯型音響装置に通知する操作可能性通知手段と；前記操作可能性通知手段から前記携帯型音響装置への通知内容を制御する制御手段と；前記外部音響信号に基づいて音声を再生する音声再生手段と；を備えることを特徴とする音響装置である。
【図面の簡単な説明】
【００１１】
【図１】本発明の一実施形態に係る音響装置の構成を概略的に示すブロック図である。
【図２】図１の制御ユニットの構成を示すブロック図である。
【図３】図２の機能報告部の構成を示すブロック図である。
【図４】図２の音声出力選択部の構成を示すブロック図である。
【図５】図１の電力供給部に対する入出力を説明するための図である。
【発明を実施するための最良の形態】
【００１２】
以下、本発明の一実施形態を、図１〜図５を参照して説明する。なお、以下の説明及び図面においては、同一又は同等の要素には同一の符号を付し、重複する説明を省略する。【００１３】
［構成］
図１には、本実施形態に係る音響装置１００の概略的な構成がブロック図にて示されている。なお、以下の説明においては、音響装置１００は、車両ＣＲに搭載される装置であるものとする。【００１４】
図１に示されるように、音響装置１００は、車両バッテリ等の車両電源９２０から供給された電力ＳＥＰを利用して動作するようになっている。この車両電源９２０は、常時電源とアクセサリ電源とを備えており、キーシンリンダ９１０に挿入されたキーの利用者による回動操作に応答した車両の動作状態の変化に対応して、電力供給元が変化するようになっている。なお、キーシンリンダ９１０に挿入されたキーの回動状態は、キー位置情報ＫＰＤとして、キーシリンダ９１０から音響装置１００に報告されるようになっている。【００１５】
また、音響装置１００には、ケーブル６１０を介して、携帯型音響装置５００が接続可能となっている。この携帯型音響装置５００は、音響装置１００から報告された音響装置１００の機能設定報告ＦＲＰに基づいて、操作入力部５１０を利用した操作入力が可能であるか否かを判断するようになっている。そして、この判断の結果が肯定的であった場合には、携帯型音響装置５００が、独自に操作入力部５１０への操作入力に従って、音声再生処理や表示部５２０への表示処理を行う。一方、当該判断の結果が否定的であった場合には、携帯型音響装置５００は、音響装置１００による制御指令ＣＴＳに従って、音声再生処理や表示部５２０への表示処理を行う。また、携帯型音響装置５００は、音響装置１００から供給された充電用電力ＣＰＷを用いて、内部電池を充電するようになっている。【００１６】
また、携帯型音響装置５００は、音声記録媒体に記録された音声コンテンツを再生する機能を有し、コネクタ５３０に接続されたケーブル６１０を介して、音響装置１００に接続されたときには、音響信号であるアナログ音声信号ＰＡＳL，ＰＡＳRが音響装置１００に供給されるようになっている。【００１７】
音響装置１００は、図１に示されるように、再生処理部１６０と、電力供給手段としての電力供給部１７０とを備えている。また、音響装置１００は、ケーブル６１０が接続されるコネクタ１８０を備えている。【００１８】
再生処理部１６０は、制御ユニット１１０と、内部音響発生手段としてのドライブユニット１２０と、音声再生手段としてのレフトスピーカ１３０L及びライトスピーカ１３０Rとを備えている。また、音響装置１００は、表示ユニット１４０と、操作入力手段としての操作入力ユニット１５０と、電力供給手段としての電力供給部１７０とを備えている。【００１９】
なお、上記の要素１２０〜１５０及び１７０は制御ユニット１１０に接続され、制御ユニット１１０による制御のもとで動作するようになっている。【００２０】
制御ユニット１１０は、音響装置１００の全体を統括制御する。この制御ユニット１１０の詳細については、後述する。【００２１】
ドライブユニット１２０は、音声コンテンツが記録された記録媒体が装填された状態で、制御ユニット１１０から音声コンテンツの再生指令を受けると、記録媒体から再生指令がなされた音声コンテンツを読み出す。かかる音声コンテンツの読み出し結果は、オーディオ信号であるコンテンツデータＣＴＤとして、制御ユニット１１０へ向けて送られる。【００２２】
レフトスピーカ１３０Lは、制御ユニット１１０からのレフト音声信号ＡＯＳLが担った音声の再生出力を行う。また、ライトスピーカ１３０Rは、制御ユニット１１０からのライト音声信号ＡＯＳRが担った音声の再生出力を行う。【００２３】
表示ユニット１４０は、（ｉ）液晶表示パネル、有機ＥＬ（Electro Luminescence）パネル、ＰＤＰ（Plasma Display Panel）等の表示デバイスと、（ii）制御ユニット１１０から送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、制御ユニット１１０による制御のもとで、操作ガイダンス情報等を表示する。【００２４】
操作入力ユニット１５０は、音響装置１００の本体部に設けられたキー部、あるいはキー部を備えるリモート入力装置等により構成される。ここで、本体部に設けられたキー部としては、表示ユニット１４０の表示デバイスに設けられたタッチパネルを用いることができる。なお、キー部を有する構成に代えて、音声入力する構成を採用することもできる。【００２５】
この操作入力ユニット１５０を利用者が操作することにより、音響装置１００の動作内容の設定が行われる。例えば、音声コンテンツの設定、音声コンテンツの検索設定、スピーカ１３０L，１３０Rから出力される音声信号の音量調節等を、利用者が操作入力ユニット１５０を利用して行う。こうした入力内容は、操作入力ユニット１５０から制御ユニット１１０へ送られる。【００２６】
制御ユニット１１０は、上述のように、音響装置１００の全体を統括制御する。この制御ユニット１１０は、図２に示されるように、制御手段としての制御処理部１１１と、操作可能性通知手段としての機能報告部１１２とを備えている。また、制御ユニット１１０は、音声処理部１１３と、信号選択手段としての音声出力選択部１１４と、音量調整手段としての音量調整部１１５とを備えている。【００２７】
制御処理部１１１は、操作入力ユニット１５０から受けた操作入力データＩＰＤを解析する。そして、制御処理部１１１は、この解析結果に基づいて、電力供給部１７０と、機能報告部１１２と、音声処理部１１３と、音声出力選択部１１４と、音量調整部１１５とを制御する。かかる制御において発行される指令には、電力供給部１７０に対する電力供給制御指令ＰＳＣと、機能報告部１１２に対する機能報告制御指令ＳＷＣと、音声処理部１１３に対する音声コンテンツ処理制御指令ＡＰＣと、音声出力選択部１１４に対する出力音声選択制御指令ＡＳＣと、音量調整部１１５に対する音量調整制御指令ＶＬＣとが含まれている。【００２８】
また、制御処理部１１１は、携帯型音響装置５００に対して、当該携帯型音響装置５００に配設された操作入力部５１０を利用した操作入力ができない旨の機能報告を機能報告部１１２に行わせた場合には、携帯型音響装置５００の動作の制御指令ＣＴＳをコネクタ１８０の端子１８１ｃへ向けて出力する。この結果、当該制御指令ＣＴＳが、ケーブル６１０を介して、携帯型音響装置５００へ送られる。【００２９】
機能報告部１１２は、ケーブル６１０を介して、携帯型音響装置５００に対して、当該携帯型音響装置５００に配設された操作入力部５１０を利用した操作入力が可能であるか否かの操作可能性情報である機能設定情報ＦＲＰ（ＦＲＰH及びＦＲＰLの２本の信号線によって表現される）を報告する。本実施形態では、信号線ＦＲＰHと信号線ＦＲＰLとの間の抵抗値を、制御処理部１１１からの機能報告制御指令ＳＷＣに従って変化させることにより、携帯型音響装置５００に対して、操作入力部５１０を利用した操作入力が可能であるか否かを報告するようになっている。【００３０】
この機能報告部１１２は、図３に示されるように、抵抗素子２１１1，２１１2と、スイッチ素子２１２とを備えている。抵抗素子２１１1は抵抗値Ｒ１を有し、抵抗素子２１１2は抵抗値Ｒ２を有する。スイッチ素子２１２は、２個の端子を有しており、一方はコネクタ１８０の端子１８１ｄに接続されており、他方はコネクタ１８０の端子１８１ｅに接続されている。スイッチ素子２１２のＯＮ／ＯＦＦの動作は、制御処理部１１１からの機能報告制御指令ＳＷＣに従って行われる。【００３１】
なお、携帯型音響装置５００は、コネクタ１８０の端子１８１ｄ，１８１ｅ間の抵抗値を調べて、音響装置１００の機能、すなわち、音響装置１００の種類を判別する。すなわち、スイッチ素子２１２がＯＦＦのときは、携帯型音響装置５００は、端子１８１ｄ，１８１ｅ間の抵抗値（Ｒ１＋Ｒ２）から、音響装置１００を単なる充電器として認識し、操作入力部５１０を利用した操作入力が可能であると判断する。また、スイッチ素子２１２がＯＮのときは、携帯型音響装置５００は、端子１８１ｄ，１８１ｅ間の抵抗値Ｒ１から、音響装置１００を遠隔操作装置として認識し、携帯型音響装置５００に関する操作は音響装置１００に委ねられ、携帯型音響装置５００に配設された操作入力手段を利用した操作入力ができないと判断する。【００３２】
図２に戻り、音声処理部１１３は、音声コンテンツを含む再生すべきコンテンツの指定入力がなされたことが、操作入力ユニット１５０から報告されると、制御処理部１１１からの音声コンテンツ処理制御指令ＡＰＣに従って、当該再生すべきコンテンツに対応するコンテンツデータＣＴＤをドライブユニット１２０から読み出して展開し、デジタル音データ信号を生成する。引き続き、音声処理部１１３は、生成されたデジタル音データ信号を解析し、デジタル音データ信号に含まれるチャンネル指定情報に従って、デジタル音データ信号を、上述したスピーカ１３０L，１３０Rのそれぞれに供給されるように分離する。【００３３】
また、音声処理部１１３は、当該２種のデジタル音データ信号に対応して、互いに同様に構成された２個のＤＡ（Digital to Analogue）変換器を備えている。そして、音声処理部１１３は、上記のように分離されたデジタル音データ信号を、アナログ音声信号に変換する。このようにして、スピーカ１３０L，１３０Rごとに分離された２つのアナログ音声信号ＰＤＳL，ＰＤＳRは、音声出力選択部１１４へ向けて出力される。【００３４】
音声出力選択部１１４は、制御処理部１１１からの出力音声選択制御指令ＡＳＣに従って、スピーカ１３０L，１３０Rから出力すべき音声として、携帯型音響装置５００から出力された音響信号であるアナログ音声信号ＰＡＳL，ＰＡＳRと、音声処理部１１３から送られてきたアナログ音声信号ＰＤＳL，ＰＤＳRのいずれかを選択する。【００３５】
この音声出力選択部１１４は、図４に示されるように、スイッチ素子２２１L，２２１Rを備えている。スイッチ素子２２１Lはスピーカ１３０Lから出力すべき音声を選択するためのものであり、スイッチ素子２２１Rはスピーカ１３０Rから出力すべき音声を選択するためのものである。【００３６】
スイッチ素子２２１Lは、端子Ａ，Ｂ，Ｃを有している。このスイッチ素子２２１Lでは、端子Ａはコネクタ１８０の端子１８１ａに接続され、端子Ｂは音声処理部１１３に接続される。また、端子Ｃは音量調整部１１５に接続される。そして、スイッチ素子２２１Lでは、端子Ａには携帯型音響装置５００から出力されたアナログ音声信号ＰＡＳLが供給され、端子Ｂには音声処理部１１３からアナログ音声信号ＰＤＳLが供給される。【００３７】
スイッチ素子２２１Rは、スイッチ素子２２１Lと同様に、端子Ａ，Ｂ，Ｃを有している。このスイッチ素子２２１Rでは、端子Ａはコネクタ１８０の出力端子１８１ｂに接続され、端子Ｂは音声処理部１１３に接続される。また、端子Ｃは音量調整部１１５に接続される。そして、スイッチ素子２２１Rでは、端子Ａには携帯型音響装置５００から出力されたアナログ音声信号ＰＡＳRが供給され、端子Ｂには音声処理部１１３からアナログ音声信号ＰＤＳRが供給される。【００３８】
各スイッチ素子２２１L，２２１Rは、制御処理部１１１による出力音声選択制御指令ＡＳＣに従って動作する。そして、音声出力選択部１１４で選択された音声信号は、アナログ音声信号ＰＢＳL，ＰＢＳRとして、スイッチ素子２２１L，２２１RのＣ端子から音量調整部１１５へ向けて送られる。【００３９】
図２に戻り、音量調整部１１５は、制御処理部１１１からの音量調整制御指令ＶＬＣに従って、音声出力選択部１１４から送られてきたアナログ音声信号ＰＢＳL，ＰＢＳRの音量を調整する。この音量調整部１１５は、スピーカ１３０L，１３０Rの数に対応して、互いに同様に構成された２個の増幅器を備え、アナログ音声信号のレベルを調整する。この調整の結果は、レフト音声信号ＡＯＳL、ライト音声信号ＡＯＳRとして、スピーカ１３０L，１３０Rへ向けて出力される。【００４０】
図１に戻り、電力供給部１７０は、車両電源９２０からの供給された電力ＳＥＰを使用して、再生処理部１６０の動作用電力ＡＰＷと、携帯型音響装置５００へ供給する充電用電力ＣＰＷを生成する。ここで、充電用電力ＣＰＷの生成は、制御処理部１１１からの電力供給制御指令ＰＳＣに従って行われるようになっている。【００４１】
なお、電力ＳＥＰは、図５に示されるように、高供給レベルＳＥＰH及び低供給レベルＳＥＰHの２つのレベルとして供給される。本実施形態では、低供給レベルＳＥＰLが接地レベルとなっている。【００４２】
また、電力供給部１７０は、動作用電力ＡＰＷを、高供給レベルＡＰＷH及び低供給レベルＡＰＷLの２つのレベルとして、再生処理部１６０へ供給する。本実施形態では、低供給レベルＡＰＷLが接地レベルとなっており、低供給レベルＡＰＷLと高供給レベルＡＰＷHとの電位差が再生処理部１６０の動作用に適切な電圧値となっている。【００４３】
また、電力供給部１７０は、充電用電力ＣＰＷを、高供給レベルＣＰＷH及び低供給レベルＣＰＷLの２つのレベルとして、コネクタ１８０の端子１８１ｆ及び端子１８１ｇへ供給する。本実施形態では、低供給レベルＣＰＷLが接地レベルとなっており、低供給レベルＣＰＷLと高供給レベルＣＰＷHとの電位差が携帯型音響装置５００における充電用に適切な電圧値となっている。【００４４】
なお、本実施形態では、上述した車両の動作状態としては、常時電源からの動作電力のみが供給されるオフ状態、常時電源及びアクセサリ電源からの動作電力が供給されるアクセサリオン状態、アクセサリ電源から更に制御系車両機器に動作電力が供給されるイグニッションオン状態、及び、車両を走行可能な状態とするスタート状態がある。制御処理部１１１が電力供給部１７０に対して電力供給をすべき旨の電力供給制御指令ＰＳＣを発行するのは、車両の動作状態が、アクセサリオン状態、イグニッションオン状態、スタート状態のいずれかのときである。そして、車両の動作状態がオフ状態のときは、制御処理部１１１は電力供給部１７０に対して電力供給をすべき旨の電力供給制御指令ＰＳＣを発行せず、携帯型音響装置５００に対する充電用電力ＣＰＷの供給は行われない。【００４５】
［動作］
次に、以上のように構成された音響装置１００の動作について、主に、携帯型音響装置５００から出力される外部音響信号の音声再生の動作に着目して説明する。【００４６】
前提として、携帯型音響装置５００は、ケーブル６１０を介して、音響装置１００に接続されているものとする。また、音響装置１００においては、音声出力選択部１１４において、携帯型音響装置５００からのアナログ音声信号ＰＡＳL，ＰＡＳRが選択され、アナログ音声信号ＰＢＳL，ＰＢＳRとして出力されるようになっているものとする。かかる音声出力選択部１１４におけるアナログ音声信号ＰＡＳL，ＰＡＳRの選択は、スピーカ１３０L，１３０Rからアナログ音声信号ＰＡＳL，ＰＡＳRに基づく再生音声を出力させるべき旨の操作入力が、操作入力ユニット１５０を利用して行われ、制御処理部１１１が、携帯型音響装置５００から出力された音声信号を選択すべき旨の出力音声選択制御指令ＡＳＣを、音声出力選択部１１４へ向けて送ることにより行われる。なお、この場合には、音声出力選択部１１４におけるスイッチ素子２２１L，２２１RのＡ端子とＣ端子とが導通することになる。【００４７】
キーシリンダ９１０にキーが挿入され、キーが回動されるごとに、そのキーの位置に応じた車両の動作状態が、アクセサリオン状態、イグニッションオン状態又はスタート状態のいずれかになり、通常通電が音響装置１００に対して行われると、音響装置１００が通常動作を実行する。また、車両の動作状態が、キー位置情報ＫＰＤとして、キーシリンダ９１０から、制御処理部１１１へ向けて送られる。【００４８】
キー位置情報ＫＰＤから、車両の動作状態が、アクセサリオン状態、イグニッションオン状態又はスタート状態のいずれかになっていることを認識すると、制御処理部１１１は、携帯型音響装置５００に対して電力を供給すべき旨の電力供給制御指令ＰＳＣを、電力供給部１７０へ向けて送る。電力供給部１７０は、この電力供給制御指令ＰＳＣを受け取ると、車両電源９２０から供給された電力ＳＥＰから充電用電力ＣＰＷを生成する。こうして、生成された充電用電力ＣＰＷは、コネクタ１８０及びケーブル６１０を介して、携帯型音響装置５００に供給される。この結果、携帯型音響装置５００における電池の充電が行われる。【００４９】
なお、電力供給部１７０は、電力供給制御指令ＰＳＣを受信したか否かにかかわらず、再生処理部１６０の動作用電力ＡＰＷを生成して、再生処理部１６０へ供給する。【００５０】
音響装置における通常動作の実行中に、利用者が、操作入力ユニット１５０を利用して、携帯型音響装置５００に配設された操作部５１０を利用した操作入力を可能にする旨の入力がなされると、その旨の操作入力データＩＰＤが、制御処理部１１１へ向けて送られる。制御処理部１１１は、この操作入力データＩＰＤを受け取ると、スイッチ素子２１２をＯＦＦにすべき旨の機能報告制御指令ＳＷＣを、機能報告部１１２へ向けて送る（図３参照）。この結果、携帯型音響装置５００は、音響装置１００を充電器として認識する。こうして、携帯型音響装置５００が音響装置１００を充電器として認識することにより、携帯型音響装置５００に配設された操作部５１０を利用した操作入力が可能となる。この状態で、利用者が、携帯型音響装置５００の操作部５１０を利用して、携帯型音響装置５００に内蔵された音声記録媒体に記録された音声コンテンツを再生させると、音響信号であるアナログ音声信号ＰＡＳL，ＰＡＳRが、ケーブル６１０を介して、音響装置１００へ向けて送られる。【００５１】
一方、音響装置１００における通常動作の実行中に、利用者が、操作入力ユニット１５０を利用して、操作部５１０を利用した操作入力をできなくする旨の入力がなされると、その旨の操作入力データＩＰＤが、制御処理部１１１へ向けて送られる。この操作入力データＩＰＤを受け取ると、制御処理部１１１は、スイッチ素子２１２をＯＮにすべき旨の機能報告制御指令ＳＷＣを、機能報告部１１２へ向けて送る（図３参照）。この結果、携帯型音響装置５００は、音響装置１００を遠隔操作装置として認識する。こうして、携帯型音響装置５００が音響装置１００を遠隔操作装置として認識することにより、携帯型音響装置５００に配設された操作部５１０を利用した操作入力ができなくなり、音響装置１００による遠隔操作が可能となる。この状態で、利用者が、音響装置１００の操作入力ユニット１５０を利用して、携帯型音響装置５００に内蔵された音声記録媒体に記録された音声コンテンツを再生させると、音響信号であるアナログ音声信号ＰＡＳL，ＰＡＳRが、ケーブル６１０を介して、音響装置１００へ向けて送られる。【００５２】
アナログ音声信号ＰＡＳL，ＰＡＳRを受けた音響装置１００では、上述したように、アナログ音声信号ＰＡＳL，ＰＡＳRが、音声出力選択部１１４により選択され、アナログ音声信号ＰＢＳL，ＰＢＳRのとして音量調整部１１５へ送られる。【００５３】
音量調整部１１５は、制御処理部１１１からの音量調整制御ＶＬＣに従って、音声出力選択部１１４から送られてきたアナログ音声信号ＰＢＳL，ＰＢＳRの音量を調整する。そして、この調整結果であるレフト音声信号ＡＯＳL、ライト音声信号ＡＯＳRは、それぞれスピーカ１３０L，１３０Rへ向けて出力される。そして、その調整結果に基づく再生音声がスピーカ１３０L，１３０Rから、音場空間へ向けて出力される。【００５４】
なお、スピーカ１３０L，１３０Rからアナログ音声信号ＰＤＳL，ＰＤＳRに基づく再生音声を出力させるべき旨の操作入力が、操作入力ユニット１５０を利用して行われると、ドライブユニット１２０により読み取られたコンテンツデータＣＴＤが担った音声が、スピーカ１３０L，１３０Rから再生出力される。この場合には、アナログ音声信号ＰＤＳL，ＰＤＳRに基づく再生音声を出力させるべき旨の操作入力に従って、制御処理部１１１が、音声処理部１１３から出力された音声信号を選択すべき旨の出力音声選択制御指令ＡＳＣを、音声出力選択部１１４へ向けて送る。この結果、音声出力選択部１１４におけるスイッチ素子２２１L，２２１RのＢ端子とＣ端子とが導通することになる。【００５５】
この状態で、利用者がドライブユニット１２０に装填された記録媒体に記録された音声コンテンツを指定した音声コンテンツの再生指令入力を操作入力ユニット１５０に対して行うと、当該音声コンテンツに関するコンテンツデータＣＴＤが、ドライブユニット１２０から音声処理部１１３へ送られる。音声処理部１１３では、上述したようにしてコンテンツデータＣＴＤの処理が行われてアナログ音声信号ＰＤＳL，ＰＤＳRが生成される。こうして生成されたアナログ音声信号ＰＤＳL，ＰＤＳRが、音声出力選択部１１４により選択されて、アナログ音声信号ＰＢＳL，ＰＢＳRのとして音量調整部１１５へ送られる。【００５６】
以後、アナログ音声信号ＰＡＳL，ＰＡＳRの場合と同様にして、音量調整部１１５において音量が調整され、その調整結果に基づく再生音声がスピーカ１３０L，１３０Rから、音場空間へ向けて出力される。【００５７】
以上説明したように、本実施形態では、音響装置１００における操作入力ユニット１５０への操作入力により機能報告部１１２の抵抗値を切り替えることで、任意に、携帯型音響装置５００の操作機能を、音響装置１００側に移したり、携帯型音響装置５００側に戻したりすることができる。このように、携帯型音響装置５００内に記録された音声の再生操作の場所を切り替えることができることで、音響装置１００のバージョンと携帯型音響装置５００のバージョンとの不整合があったとしても、操作場所を携帯型音響装置５００側に戻すことで、確実に携帯型音響装置５００内に記録された音声の再生を、音響装置１００のスピーカを利用して行うことができる。【００５８】
また、音響装置１００における操作入力ユニット１５０への操作入力により、携帯型音響装置５００を持つ者に対して、操作の許可／不許可を音響装置１００側で制御することができる。【００５９】
また、本実施形態では、車両の動作状態が、アクセサリオン状態、イグニッションオン状態、スタート状態のいずれかであるときは携帯型音響装置５００に対する充電用電力ＣＰＷの供給を行い、オフ状態であるときは携帯型音響装置５００に対する充電用電力ＣＰＷの供給を行わない。このため、エンジン停止期間における車両電源９２０の電力消費を低減することができる。【００６０】
また、本実施形態では、スピーカ１３０L，１３０Rから出力すべき音声として、携帯型音響装置５００から出力されたアナログ音声信号ＰＡＳL，ＰＡＳRと、ドライブユニット１２０に装填された記録媒体に記録された音声コンテンツを再生したアナログ音声信号ＰＤＳL，ＰＤＳRのいずれかを選択することができる。このため、利用者は、操作入力ユニット１５０に対する操作入力により、自由に出力すべき音声信号を選択することができる。【００６１】
したがって、本実施形態によれば、携帯型音響装置との連携を図ることができ、利用者の利便性を向上することができる。【００６２】
［実施形態の変形］
本発明は、上記の実施形態に限定されるものではなく、様々な変形が可能である。【００６３】
例えば、上記の実施形態では、２個のスピーカを備えることとしたが、１個のスピーカから音出力をさせてもよく、また、マルチチャンネル方式に対応して３個以上のスピーカから音出力をさせるようにすることもできる。【００６４】
また、上記の実施形態では、機能報告部１１２におけるスイッチ素子２１２としては、トランジスタのような電子的なスイッチ素子を採用することもできるし、リードリレーのような機械的なスイッチ素子を採用することもできる。【００６５】
また、上記の実施形態では、機能報告部１１２が外部から見た場合の抵抗値を変化させることにより、携帯型音響装置５００に報告する内容を変化させるようにした。これに対し、機能報告部１１２の構成は、携帯型音響装置における音響装置の機能の種類の判断方式に適合するものであれば、任意の構成を採用することができる。【００６６】
また、上記の実施形態では、本発明を車両に搭載される音響装置に適用したが、車両以外の移動体に搭載される音響装置に本発明を適用することもできるし、家庭用の音響装置に本発明を適用することもできる。【００６７】
また、上記の実施形態では、音声コンテンツを再生する音響装置に本発明を適用したが、音声コンテンツとともに映像コンテンツを再生する装置に本発明を適用することもできる。      【００６８】
なお、上記の実施形態における制御ユニット１１０の一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図１】
2008114387.tif 000003
【図２】
2008114387.tif 000004
【図３】
2008114387.tif 000005
【図４】
2008114387.tif 000006
【図５】
2008114387.tif 000007
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
移動体に搭載され、携帯型音響装置から出力された外部音響信号に基づいて音声再生を行う音響装置であって、
前記携帯型音響装置に所定電圧の電力を供給する電力供給手段と；
前記外部音響信号に基づいて音声を再生する音声再生手段と；
操作又は指令を入力するための操作入力手段と；
前記音声再生手段による音声再生に際しての操作を、前記携帯型音響装置に配設された固有操作入力手段、及び、前記操作入力手段のいずれを利用して行うかを、切換可能に制御する制御手段と；
を備えることを特徴とする音響装置。
【請求項２】
前記携帯型音響装置は充電可能であり、
前記電力供給手段は、充電用電力として、前記所定電圧の電力を前記携帯型音響装置に供給する、ことを特徴とする請求項１に記載の音響装置。
【請求項３】
前記制御手段は、電力供給の有無を前記電力供給手段に対して指定する、ことを特徴とする請求項１又は２に記載の音響装置。
【請求項４】
前記制御手段は、前記操作入力手段を利用して前記音声再生手段による音声再生に際しての操作を行う切換制御を行った場合には、前記固有操作入力手段を利用した操作入力ができない旨の通知を前記携帯型音響装置へ送る、ことを特徴とする請求項１〜３のいずれか一項に記載の音響装置。
【請求項５】
内部音響信号を発生する内部音響発生手段と；
前記内部音響信号及び前記外部音響信号のいずれかを選択して、前記音声再生手段へ向けて出力する信号選択手段と；を更に備え、
前記制御手段は、選択すべき信号の種類を前記信号選択手段に対して指定する、
ことを特徴とする請求項１〜４のいずれか一項に記載の音響装置。
【請求項６】
前記音声再生手段からの再生音声の音量を調整する音量調整手段を更に備え、
前記制御手段は、前記音声再生手段において再生される音声の音量を前記音量調整手段に対して指定する、
ことを特徴とする請求項１〜５のいずれか一項に記載の音響装置。
【手続補正２】
【補正対象書類名】明細書
【補正対象項目名】００１０
【補正方法】変更
【補正の内容】
【００１０】
本発明の音響装置は、移動体に搭載され、携帯型音響装置から出力された外部音響信号に基づいて音声再生を行う音響装置であって、前記携帯型音響装置に所定電圧の電力を供給する電力供給手段と；前記外部音響信号に基づいて音声を再生する音声再生手段と；操作又は指令を入力するための操作入力手段と；前記音声再生手段による音声再生に際しての操作を、前記携帯型音響装置に配設された固有操作入力手段、及び、前記操作入力手段のいずれを利用して行うかを、切換可能に制御する制御手段と；を備えることを特徴とする音響装置である。
【手続補正３】
【補正対象書類名】明細書
【補正対象項目名】００２６
【補正方法】変更
【補正の内容】
【００２６】
制御ユニット１１０は、上述のように、音響装置１００の全体を統括制御する。この制御ユニット１１０は、図２に示されるように、制御手段としての制御処理部１１１と、機能報告部１１２とを備えている。また、制御ユニット１１０は、音声処理部１１３と、信号選択手段としての音声出力選択部１１４と、音量調整手段としての音量調整部１１５とを備えている。
【国際調査報告】
2008114387.tif 000008
2008114387.tif 000009
2008114387.tif 000010
2008114387.tif 000011